(57)【要約】      （修正有）【課題】表示される画像の状態に関わらず、表示部に適切なプレビュー画像を表示することができる情報処理装置等を提供する。【解決手段】画像メモリ１２０に記憶された画像から画像印刷部１３０への印刷設定を考慮したプレビュー画像を生成するプレビュー画像生成部１５０と、プレビュー画像生成部により生成されたプレビュー画像を表示する表示部１４５と、を備え、プレビュー画像生成部１５０は、画像に印刷設定として両面印刷が指定されている場合、表面の画像と、裏面の画像とのうち、少なくとも一方の画像の表示形態を変化させて合成することによりプレビュー画像を生成する。【選択図】図２
2009296370.tif 000002
【特許請求の範囲】
【請求項１】
記憶手段に記憶された画像から印刷装置への印刷設定を考慮したプレビュー画像を生成するプレビュー画像生成手段と、前記プレビュー画像生成手段により生成されたプレビュー画像を表示する制御を行うプレビュー画像表示制御手段と、を備えた情報処理装置において、
前記プレビュー画像生成手段は、前記画像に印刷設定として両面印刷が指定されている場合、表面の画像と、裏面の画像とのうち、少なくとも一方の画像の表示形態を変化させて合成することによりプレビュー画像を生成することを特徴とする情報処理装置。
【請求項２】
画像の透過率を設定する透過率設定手段を更に備え、
前記プレビュー画像生成手段は、前記設定された透過率に基づいて、裏面の画像の透過率を変化させて合成することを特徴とする請求項１に記載の情報処理装置。
【請求項３】
前記プレビュー画像生成手段は、前記合成されたプレビュー画像について、少なくとも１辺がカールした状態に再描画することによりプレビュー画像を生成することを特徴とする請求項１又は２に記載の情報処理装置。
【請求項４】
前記プレビュー画像生成手段は、後処理装置の処理状態をプレビュー画像に更に合成することを特徴とする請求項１から３のいずれか一項に記載の情報処理装置。
【請求項５】
コンピュータに、記憶部に記憶された画像から印刷装置への印刷設定を考慮したプレビュー画像を生成するプレビュー画像生成機能と、前記プレビュー画像生成機能により生成されたプレビュー画像を表示する制御を行うプレビュー画像表示制御機能と、を実現させるプログラムにおいて、
前記プレビュー画像生成機能は、前記画像に印刷設定として両面印刷が指定されている場合、表面の画像と、裏面の画像とのうち、少なくとも一方の画像の表示形態を変化させて合成することによりプレビュー画像を生成することを特徴とするプログラム。
【発明の詳細な説明】
【技術分野】
【０００１】
本発明は記憶手段に記憶された画像から印刷装置への印刷設定を考慮したプレビュー画像を生成するプレビュー画像生成手段と、前記プレビュー画像生成手段により生成されたプレビュー画像を表示する制御を行うプレビュー画像表示制御手段と、を備えた情報処理装置等に関する。
【背景技術】
【０００２】
情報処理装置の一例として、原稿台に載置された原稿をスキャナで読み取った画像や、通信回線により受信された画像を印刷する装置が従来から知られている。例えば、複写機や、ファクシミリ機能及びプリンタ機能等を一体的に備えた複合機、電子ファイリングシステム等が挙げられる。
【０００３】
これらの情報処理装置では、印刷した状態を確認するために、印刷状態をプレビュー画像として表示する機能が知られている（例えば、特許文献１参照）。また、両面印刷をする画像を表示する場合には、裏面を透かしてプレビュー画像を表示することにより、利用者に両面印刷であることを視認させる方法が知られている。
【特許文献１】特開２００１−６７３４７号公報
【発明の開示】
【発明が解決しようとする課題】
【０００４】
しかしながら、プレビュー画像として表示する画像には大きさや濃度の異なる様々な画像が選択されることとなる。したがって、単に裏面の画像を透かして表示させた場合、必ずしも適切なプレビュー画像が表示されるとは限られなかった。
【０００５】
上述した課題に鑑み、本発明が目的とするところは、表示される画像の状態に関わらず、表示部に適切なプレビュー画像を表示することができる情報処理装置等を提供することを目的とする。
【課題を解決するための手段】
【０００６】
上述した課題に鑑み、本発明の情報処理装置は、記憶手段に記憶された画像から印刷装置への印刷設定を考慮したプレビュー画像を生成するプレビュー画像生成手段と、前記プレビュー画像生成手段により生成されたプレビュー画像を表示する制御を行うプレビュー画像表示制御手段と、を備えた情報処理装置において、前記プレビュー画像生成手段は、前記画像に印刷設定として両面印刷が指定されている場合、表面の画像と、裏面の画像とのうち、少なくとも一方の画像の表示形態を変化させて合成することによりプレビュー画像を生成することを特徴とする。
【０００７】
また、本発明の情報処理装置は、画像の透過率を設定する透過率設定手段を更に備え、前記プレビュー画像生成手段は、前記設定された透過率に基づいて、裏面の画像の透過率を変化させて合成することを特徴とする。
【０００８】
また、本発明の情報処理装置において、前記プレビュー画像生成手段は、前記合成されたプレビュー画像について、少なくとも１辺がカールした状態に再描画することによりプレビュー画像を生成することを特徴とする。
【０００９】
ここで、カールした状態とは、ページの一部を捲ったように裏面の一部が表示される状態をいう。
【００１０】
また、本発明の情報処理装置において、前記プレビュー画像生成手段は、後処理装置の処理状態をプレビュー画像に更に合成することを特徴とする。
【００１１】
本発明のプログラムは、コンピュータに、記憶部に記憶された画像から印刷装置への印刷設定を考慮したプレビュー画像を生成するプレビュー画像生成機能と、前記プレビュー画像生成機能により生成されたプレビュー画像を表示する制御を行うプレビュー画像表示制御機能と、を実現させるプログラムにおいて、前記プレビュー画像生成機能は、前記画像に印刷設定として両面印刷が指定されている場合、表面の画像と、裏面の画像とのうち、少なくとも一方の画像の表示形態を変化させて合成することによりプレビュー画像を生成することを特徴とする。
【発明の効果】
【００１２】
本発明によれば、記憶手段に記憶された画像から印刷装置への印刷設定を考慮したプレビュー画像を生成する場合に、画像に印刷設定として両面印刷が指定されている場合、表面の画像と、裏面の画像とのうち、少なくとも一方の画像の表示形態を変化させて合成することによりプレビュー画像を生成することとなる。したがって、プレビュー画像として一方の画像の表示形態を変化させることにより、画像の種類に応じて適切なプレビュー画像を表示させることが出来るようになる。
【００１３】
また、本発明によれば、画像の透過率を設定し、設定された透過率に基づいて、裏面の画像の透過率を変化させることとなる。したがって、裏面として表示される画像の濃度に適したプレビュー画像を表示できることとなる。
【００１４】
また、本発明によれば、合成されたプレビュー画像について、少なくとも１辺がカールした状態に再描画することとなる。したがって、カール状態を視認することにより、利用者は適切に両面印刷の状態を視認できることとなる。
【００１５】
また、本発明によれば、後処理装置の処理状態をプレビュー画像に更に合成して表示されることとなる。したがって、後処理装置により、どのような状態となるかを利用者は確認することができる。
【発明を実施するための最良の形態】
【００１６】
以下添付図面を参照しながら、本発明の実施の形態について説明し、本発明の理解に供する。尚、以下の実施の形態は、本発明を具体化した一例であって、本発明の技術的範囲を限定する性格のものではない。
【００１７】
［装置説明］
まず、本発明の情報処理装置を適用した一例として、デジタル複合機１を例にとって説明する。
【００１８】
図１は、本発明のデジタル複合機１の一実施形態を示す断面図である。このデジタル複合機１では、原稿の画像を読み取って記録用紙に印刷する複写モード、原稿の画像を読み取って送信したり、原稿の画像を受信して記録用紙に印刷したりするファクシミリモード及び情報端末装置からネットワークを通じて受信した画像を記録用紙に印刷するプリンタモード等を選択的に行うことができる。このデジタル複合機１は、その構成を大別すると、原稿搬送読取り部２、画像形成部３、給紙部４及び排紙処理装置５を備えている。次に、複写モードを例に挙げて、デジタル複合機１の動作を説明する。
【００１９】
まず、原稿を原稿搬送読取り部２の原稿セットトレイ１１にセットすると原稿検知センサ１２が原稿をセットされたことを検出する。そして、原稿搬送読取り部２の操作パネルを操作することにより印刷用紙のサイズ及び変倍率等を入力設定する。その後、操作パネルの操作により複写の開始を指示する。
【００２０】
これらの操作に応答して原稿搬送読取り部２では、ピックアップローラ１３により原稿セットトレイ１１上の各原稿を１枚ずつ引き出し、原稿をサバキ板１４と搬送ローラ１５間を介してプラテンガラス１６へと送り出し、原稿をプラテンガラス１６上で副走査方向に搬送して原稿排出トレイ１７へと排出する。
【００２１】
このとき、第１読取り部２１によって原稿の表面（下側面）を読取る。第１読取り部２１の第１走査ユニット２３をポジションに移動して位置決めし、第２走査ユニット２４を所定位置に位置決めしておき、第１走査ユニット２３の露光ランプにより原稿の表面をプラテンガラス１６を介して照射し、原稿の反射光を第１及び第２走査ユニット２３、２４の各反射ミラーにより結像レンズ２６へと導き、原稿の反射光を結像レンズ２６によりＣＣＤ（Charge  Coupled  Device）２７に集光させ、原稿の表面の画像をＣＣＤ２７上に結像させ、これにより原稿の表面の画像を読取る。
【００２２】
また、第２読取り部２２によって原稿の裏面（上側面）を読取る。第２読取り部２２は、プラテンガラス１６の上方に配置されており、原稿の裏面を照射する露光ランプ（ＬＥＤ（Light Emitting Diode）アレイ、蛍光灯等）、画素毎に、原稿の反射光を集光するセルフォックレンズアレイ、及びセルフォックレンズアレイを通じて受光した原稿の反射光を光電変換して、アナログの画像信号を出力する密着イメージセンサ（CIS；Contact Image Sensor）等を備えている。
【００２３】
更に、原稿搬送読取り部２の上部筐体を開いて、プラテンガラス１６上に原稿を載置し、この状態で第１読取り部２１により原稿の表面を読取ることが可能である。この場合は、第１及び第２走査ユニット２３、２４を相互に所定の速度関係を維持しつつ副走査方向に移動させ、第１走査ユニット２３によってプラテンガラス１６上の原稿を露光し、第１及び第２走査ユニット２３、２４によって原稿からの反射光を結像レンズ２６へと導き、結像レンズ２６によって原稿の画像をＣＣＤ２７上に結像する。
【００２４】
こうして原稿の片面もしくは両面が読取られると、原稿の片面もしくは両面の画像を示す画像が制御部１００（図２に示す）に入力され、ここで画像に各種の画像処理が施され、この画像が画像形成部３へと出力される。
【００２５】
画像形成部３は、画像によって示される原稿の画像を記録用紙に印刷するものであって、感光体ドラム３１、帯電装置３２、レーザスキャンユニット（以下ＬＳＵと称する）３３、現像装置３４、転写装置３５、クリーニング装置３６、除電装置（図示せず）及び定着装置３７等を備えている。
【００２６】
また、画像形成部３には、主搬送路３８及び反転搬送路３９が設けられており、給紙部４から給紙されて来た記録用紙が主搬送路３８に沿って搬送される。給紙部４は、用紙カセット４１に収納された記録用紙又は手差トレイ４２に載置された記録用紙を１枚ずつ引き出して、記録用紙を画像形成部３の主搬送路３８へと送り出す。
【００２７】
画像形成部３の主搬送路３８に沿って記録用紙が搬送されている途中で、記録用紙が感光体ドラム３１と転写装置３５との間を通過し、更に定着装置３７を通過して、記録用紙に対する印刷が行われる。感光体ドラム３１は、一方向に回転しており、その表面をクリーニング装置３６と除電装置によりクリーニングされてから、その表面を帯電装置３２により均一に帯電される。レーザスキャンユニット３３は、原稿搬送読取り部２からの画像に基づいてレーザ光を変調し、このレーザ光によって感光体ドラム３１表面を主走査方向に繰り返し走査して、静電潜像を感光体ドラム３１表面に形成する。
【００２８】
現像装置３４は、トナーを感光体ドラム３１表面に供給して、静電潜像を現像し、トナー像を感光体ドラム３１表面に形成する。転写装置３５は、該転写装置３５と感光体ドラム３１間を通過して行く記録用紙に感光体ドラム３１表面のトナー像を転写する。定着装置３７は、記録用紙を加熱及び加圧して、記録用紙上のトナー像を定着させる。
【００２９】
主搬送路３８と反転搬送路３９の接続位置には、分岐爪４３が配設されている。記録用紙の片面だけに印刷が行われる場合は、分岐爪４３が位置決めされ、この分岐爪４３により定着装置３７からの記録用紙が排紙トレイ４４又は排紙処理装置５の方へと導かれる。
【００３０】
また、記録用紙の両面に印刷が行われる場合は、分岐爪４３により記録用紙が反転搬送路３９の方へと導かれる。そして、記録用紙は、反転搬送路３９を通過して、その表裏を反転されて主搬送路３８へと再び搬送され、主搬送路３８の再度の搬送途中で、その裏面への印刷が行われて、排紙トレイ４４又は排紙処理装置５の方へと導かれる。
【００３１】
こうして印刷された記録用紙は、排紙トレイ４４又は排紙処理装置５の方へと導かれて、排紙トレイ４４に排出されたり、排紙処理装置５の各排紙トレイ５ａのいずれかに排出される。
【００３２】
排紙処理装置５では、複数の記録用紙を各排紙トレイ５ａに仕分けして排出したり、各記録用紙にパンチング処理を施したり、各記録用紙にステープル処理を施す。例えば、複数部の印刷物を作成する場合は、各排紙トレイ５ａに印刷物の一部ずつが割り当てられる様に各記録用紙を各排紙トレイ５ａに仕分けして排出し、排紙トレイ５ａ毎に、排紙トレイ５ａ上の各記録用紙にパンチング処理やステープル処理を施して、印刷物を作成する。
【００３３】
［機能構成］
続いて、デジタル複合機１の機能構成について、図２を用いて説明する。図２に示すように、デジタル複合機１は、制御部１００とバスを介して、画像入力部１１０と、画像受信部１１５と、画像メモリ１２０と、画像印刷部１３０と、後処理装置１３５と、操作部１４０と、表示部１４５と、プレビュー画像生成部１５０と、プレビュー画像メモリ１５５と、記憶部１６０とが接続されて構成されている。
【００３４】
制御部１００は、デジタル複合機１の各種動作及び制御を行う機能部である。デジタル複合機１に記憶されている各種プログラムを読み出し、実行することにより各処理を実現することとなる。例えば、制御部１００は、ＣＰＵ（Central Processing Unit）等により構成されている。
【００３５】
画像入力部１１０は、原稿搬送読取り部２から原稿を読み取り、画像として画像メモリ１２０に出力する機能部である。画像入力部１１０は、例えばＣＣＤスキャナ装置等から構成されている。
【００３６】
画像受信部１１５は、デジタル複合機１がネットワークを介してデータを受信するための通信手段として機能する機能部である。一例として、社内ＬＡＮ等の通信ネットワークに接続され、通信ネットワークを介してパーソナルコンピュータが接続される。そして、画像受信部１１５を介してパーソナルコンピュータから受信された画像は、画像メモリ１２０に一時記憶されることとなる。
【００３７】
画像メモリ１２０は、画像を一時的に記憶するメモリである。具体的には、画像入力部１１０により入力された画像や、画像受信部１１５を介して受信された画像が、画像メモリ１２０に記憶される。そして、印刷する画像を、画像印刷部１３０に出力する。
【００３８】
画像印刷部１３０は、画像メモリ１２０から入力された画像に基づいて、画像を形成し、記録紙に印刷するための機能部である。画像印刷部１３０としては、例えば、レーザプリンタ等により構成されてもよい。
【００３９】
後処理装置１３５は、画像印刷部１３０により印刷された記録紙に対して後処理を実行するための装置である。例えば、指定された位置に穴を開けるパンチ処理や、ステープルにより記録紙を閉じるステープル処理等を実行する。本実施形態では、後述するステープル位置１６２ｄの設定にしたがってステープル処理を実行し、パンチ位置１６２ｅの設定にしたがってパンチ処理を実行する。
【００４０】
操作部１４０及び表示部１４５は、操作のために必要な操作入力部と、情報を表示する表示部とにより構成されている。操作部１４０としては、使用者の操作により制御命令などの情報が入力されるタッチパネル部やテンキー等を備えて構成されている。また、デジタル複合機１における各種設定情報及び動作状況等が、表示部１４５に表示されることにより、利用者に報知されることとなる。更に、後述するプレビュー画像が表示部１４５に表示されることにより、利用者はプレビュー画像を視認することができる。
【００４１】
プレビュー画像生成部１５０は、画像メモリ１２０に記憶されている画像に基づいてプレビュー画像を生成し、プレビュー画像メモリ１５５に出力する機能部である。そして、プレビュー画像メモリ１５５に記憶されたプレビュー画像は、表示部１４５に出力（表示）される。
【００４２】
記憶部１６０は、デジタル複合機１を動作させる為の各種データやプログラムなどを記憶している機能部である。制御部１００は、記憶部１６０に記憶されている制御プログラムを読み出して実行することにより、制御処理を実行する。また、記憶部１６０には設定情報１６２と、プレビュー画像表示プログラム１６４と、プレビュー画像設定プログラム１６６と、プレビュー画像生成プログラム１６８とが記憶されている。
【００４３】
設定情報１６２は、プレビュー画像生成処理（図６）において使用する設定情報（パラメータ）を記憶している。図３に示すように、設定情報１６２は、プレビュー画像のカール表示を行う位置を指定する画像カール位置１６２ａ（例えば、「下辺」）と、プレビュー画像においてカール表示を行う量を指定する画像カール量１６２ｂ（例えば、「３」）と、裏面の画像の透過率を指定する画像透過率１６２ｃ（例えば、「６５％」）と、後処理装置１３５が、ステープル処理を行う場合に、ステープルを打つ位置を指定するステープル位置１６２ｄ（例えば、「なし」）と、後処理装置１３５が、パンチ処理を行う場合に、パンチをあける位置を指定するパンチ位置１６２ｅ（例えば、「左側」）と、を記憶している。
【００４４】
ここで、本実施形態における画像カール量１６２ｂは、段階表示として設定している。プレビュー画像生成部１５０は、設定された段階表示に応じたカール表示を行うこととなる。
【００４５】
制御部１００は、プレビュー画像表示プログラム１６４を読み出して実行することにより、プレビュー画像表示処理（図４）を実現する。また、制御部１００は、プレビュー画像設定プログラム１６６を読み出して実行することにより、プレビュー画像設定処理を実現する。また、制御部１００は、プレビュー画像生成プログラム１６８を読み出して実行することにより、プレビュー画像生成処理を実現する。
【００４６】
［動作処理］
続いて、デジタル複合機１の各処理について図面（動作フロー）を用いて説明する。まず、図４を用いてプレビュー画像表示処理について説明する。プレビュー画像表示処理は、制御部１００がプレビュー画像表示プログラム１６４を読み出して実行することにより実現される処理である。
【００４７】
まず、画像メモリ１２０に画像が入力される（ステップＳ１００）。ここで、入力される画像は、画像入力部１１０から入力されたり、画像受信部１１５を介して受信されたりする画像である。
【００４８】
続いて、プレビュー画像の設定を行うかどうかを判定する（ステップＳ１０２）。ここで、操作部１４０からプレビュー画像の設定をする操作がなされると（ステップＳ１０２；Ｙｅｓ）、プレビュー画像設定処理を実行する（ステップＳ１０４、図５）。そして、続いてプレビュー画像の表示を行う操作がされない場合は（ステップＳ１０６；Ｎｏ）、ステップＳ１０２から処理を繰り返し実行する。
【００４９】
ここで、利用者により操作部１４０からプレビュー画像を表示する操作がされると（ステップＳ１０６；Ｙｅｓ）、プレビュー画像生成処理を実行する（ステップＳ１０８、図６）。プレビュー画像生成処理が実行されると、プレビュー画像生成部１５０により、プレビュー画像が生成され、プレビュー画像メモリ１５５に記憶される。
【００５０】
そして、制御部１００は、プレビュー画像メモリ１５５に記憶されているプレビュー画像を表示部１４５に表示する（ステップＳ１１０）。
【００５１】
つづいて、ステップＳ１０４において実行されるプレビュー画像設定処理について、図５を用いて説明する、図５のプレビュー画像設定処理は、制御部１００が、プレビュー画像設定プログラム１６６を読み出して実行することにより実現される処理である。
【００５２】
まず、画像カール位置の入力があったか否かを判定する（ステップＳ２００）。ここで画像カール位置の入力がされた場合には（ステップＳ２００；Ｙｅｓ）、記憶部１６０に、画像カール位置１６２ａとして記憶する（ステップＳ２０２）。
【００５３】
次に、画像カール量の入力があったか否かを判定する（ステップＳ２０４）。ここで画像カール量の入力がされた場合には（ステップＳ２０４；Ｙｅｓ）、記憶部１６０に、画像カール量１６２ｂとして記憶する（ステップＳ２０６）。
【００５４】
次に、画像透過率の入力があったか否かを判定する（ステップＳ２０８）。ここで画像透過率の入力がされた場合には（ステップＳ２０８；Ｙｅｓ）、記憶部１６０に、画像透過率１６２ｃとして記憶する（ステップＳ２１０）。
【００５５】
次に、後処理装置が実行する処理の一つとして、ステープルの位置の入力があったか否かを判定する（ステップＳ２１２）。ここでステープルの位置が入力された場合には（ステップＳ２１２；Ｙｅｓ）、記憶部１６０に、ステープル位置１６２ｄとして記憶する（ステップＳ２１４）。
【００５６】
次に、後処理装置が実行する処理の一つとしてパンチ位置の入力があったか否かを判定する（ステップＳ２１６）。ここでパンチ位置が入力された場合には（ステップＳ２１６；Ｙｅｓ）、記憶部１６０に、パンチ位置１６２ｅとして記憶する（ステップＳ２１８）。
【００５７】
そして、プレビュー画像設定処理を終了すると、図４のプレビュー画像表示処理のステップＳ１０６を実行する。
【００５８】
続いて、図４のステップＳ１０８において実行されるプレビュー画像生成処理について、図６を用いて説明する。図６のプレビュー画像生成処理は、制御部１００が、プレビュー画像生成プログラム１６８を読み出して実行することにより実現される処理である。
【００５９】
まず、画像メモリ１２０に記憶されている画像から、表面として印刷される画像のプレビュー画像を生成する（ステップＳ３００）。続いて、カール設定がされているか否かを判定する（ステップＳ３０２）。カール設定が設定されていないと判定された場合には（ステップＳ３０２；Ｎｏ）、ステップＳ３１４に処理を移行する。
【００６０】
ここで、カール設定とは、画像カール位置１６２ａ及び画像カール量１６２ｂについていう。すなわち、画像カール位置１６２ａに画像カール位置が「下辺」「左下」等の設定がされると、併せて画像カール量１６２ｂが設定されている。例えば、制御部１００は、画像カール位置１６２ａを参照して、カール設定が為されているかどうかを判定する。
【００６１】
カール設定があると判定された場合には（ステップＳ３０２；Ｙｅｓ）、ステープル位置１６２ｄが設定されているかを判定する（ステップＳ３０４）。ここで、ステープル位置１６２ｄに設定がされていない場合（ステップＳ３０４；Ｎｏ）、パンチ位置１６２ｅの設定がされているかを判定する（ステップＳ３０６）。ここで、パンチ位置１６２ｅに設定がされていない場合（ステップＳ３０６；Ｎｏ）、ステップＳ３１２に処理を移行する。
【００６２】
他方、ステープル位置１６２ｄに設定があると判定されるか（ステップＳ３０４；Ｙｅｓ）、パンチ位置１６２ｅに設定があると判定されると（ステップＳ３０６；Ｙｅｓ）、ステープル位置１６２ｄ又はパンチ位置１６２ｅと、画像カール位置１６２ａが矛盾しないか判定する（ステップＳ３０８）。ここで、画像カール位置１６２ａと矛盾が生じない場合はステップＳ３１２に処理を移行する。
【００６３】
また、画像カール位置１６２ａと、ステープル位置１６２ｄ又はパンチ位置１６２ｅとの位置が矛盾する場合には、矛盾を生じない位置で再設定を行い（ステップＳ３１０）、ステップＳ３１２に処理を移行する。
【００６４】
ここで、再設定を行う処理としては、例えば、画像カール位置１６２ａの設定を変更したり、画像カール量１６２ｂの設定を変更することにより、プレビュー画像に矛盾が生じないようにする処理である。
【００６５】
また、ステップＳ３０８において、画像カール位置と矛盾があるか否か判定する場合には、ステープル位置１６２ｄ及びパンチ位置１６２ｅの両方について判定しても良いし、設定してあるものについてだけ判定することとしても良い。
【００６６】
続いて、ステップＳ３１２以降の処理を説明する。カール設定に基づいて、プレビュー画像のカール部分を上書き描写する（ステップＳ３１２）。具体的には、画像カール位置１６２ａ及び画像カール量１６２ｂに基づいてカール部分を上書き描画することとなる。
【００６７】
次に、画像透過率１６２ｃが設定されているか否かを判定する（ステップＳ３１４）。ここで、画像透過率１６２ｃに設定がされていると判定された場合には（ステップＳ３１４；Ｙｅｓ）、画像透過率１６２ｃの値に従って裏面となる画像を減調する。そして、プレビュー画像に裏面となる画像をＯＲ合成描画する（ステップＳ３１６）。
【００６８】
［動作例］
続いて、本実施形態における動作例について図を用いて具体的に説明する。図７は、表示部１４５において表示される表示画面の一例を示す図である。
【００６９】
図７においては、デジタル複合機１に印刷するジョブが一覧表示されている。利用者が、表示されている印刷ジョブの中から、プレビュー表示を行うジョブを選択することにより、図８のプレビュー設定画面に遷移する。なお、本実施形態においては、表示画面はタッチパネルを備えた表示部１４５に表示されており、利用者がタッチ操作することにより、ジョブを選択できる。
【００７０】
図８は、プレビュー設定画面である。当該画面により、設定情報１６２の内容を設定することができる。領域Ｒ１００により画像カール位置１６２ａを、領域Ｒ１０２により画像カール量１６２ｂを、領域Ｒ１０４によりステープル位置１６２ｄを、領域Ｒ１０６によりパンチ位置１６２ｅを、領域Ｒ１０８により画像透過率１６２ｃを、それぞれ設定することができる。そして、ＯＫボタン（Ｒ１１０）をタッチすることにより、プレビュー画面が表示されることとなる。
【００７１】
図９は、実際のプレビュー画像の一例を示す図である。図９（ａ）のプレビュー画像は、表面に表示された「ＡＢＣ」と、裏面に表示された「ＤＥＦ」を示したものである。裏面に表示された「ＤＥＦ」は、表裏の画像の配置関係が明確となるように透過状態で表示されており、画像透過率１６２ｃに従って表示されている。
【００７２】
図９（ｂ）は、図９（ａ）の表示に加えて、記録紙の右下から記録紙をカールさせた状態でプレビュー表示が行われている。これにより、表面に記載された「ＡＢＣ」と、裏面に記載された「ＤＥＦ」とを直感的に視認できる状態となっている。
【００７３】
図９（ｃ）は、図９（ａ）の表示に加えて、記録紙の下方から記録紙をカールさせた状態でプレビュー表示が行われている。これにより、表面に記載された「ＡＢＣ」と、裏面に記載された「ＤＥＦ」とを直感的に視認できる状態となっている。
【００７４】
また、図９（ｄ）は、（ｃ）の表示に加えて後処理装置（パンチ）を行った場合のプレビュー表示である。これにより、記録紙のどの位置にパンチが行われるか具体的に視認できることとなる。
【００７５】
[変形例]
なお、本実施形態においては、情報処理装置の一例としてデジタル複合機に適用したが、当該装置に限定されるものではない。具体的には、例えばファクシミリ装置であったり、画像形成装置を備えたコンピュータシステムであったり、携帯電話、カーナビゲーションシステム等の他の情報処理装置にも適用可能なことは勿論である。
【００７６】
また、上述した実施形態においては、画像透過率については利用者が設定することとしたが、例えば自動で設定することとしても良い。すなわち、画像の濃度に応じて、適切な透過率となるように制御部１００が制御をすることとしても良い。
【００７７】
また、上述した実施形態において、画像カール位置１６２ａを、後処理装置１３５が処理を施す位置と遠離した辺に対応する位置に設定されるようにしてもよい。これにより、利用者が意識することなく、適切な位置がカールされた状態で表示されることとなる。
【図面の簡単な説明】
【００７８】
【図１】本発明の情報処理装置を適用したデジタル複合機の断面図。
【図２】本実施形態におけるデジタル複合機の機能構成を説明するための図。
【図３】本実施形態における設定情報の一例を説明するための図。
【図４】本実施形態におけるプレビュー画像表示処理の動作フローを示す図。
【図５】本実施形態におけるプレビュー画像設定処理の動作フローを示す図。
【図６】本実施形態におけるプレビュー画像生成処理の動作フローを示す図。
【図７】本実施形態における動作を説明するための図。
【図８】本実施形態における動作を説明するための図。
【図９】本実施形態における動作を説明するための図。
【符号の説明】
【００７９】
１  デジタル複合機
２  原稿搬送読取り部
３  画像形成部
４  給紙部
５  排紙処理装置
１００  制御部
１１０  画像入力部
１１５  画像受信部
１２０  画像メモリ
１３０  画像印刷部
１４０  操作部
１４５  表示部
１５０  プレビュー画像生成部
１５５  プレビュー画像メモリ
１６０  記憶部
１６２  設定情報
１６２ａ  画像カール位置
１６２ｂ  画像カール量
１６２ｃ  画像透過率
１６２ｄ  ステープル位置
１６２ｅ  パンチ位置
１６４  プレビュー画像表示プログラム
１６６  プレビュー画像設定プログラム
１６８  プレビュー画像生成プログラム
【図１】
2009296370.tif 000003
【図２】
2009296370.tif 000004
【図３】
2009296370.tif 000005
【図４】
2009296370.tif 000006
【図５】
2009296370.tif 000007
【図６】
2009296370.tif 000008
【図７】
2009296370.tif 000009
【図８】
2009296370.tif 000010
【図９】
2009296370.tif 000011